(57)【特許請求の範囲】
【請求項１】
主部材に連結材を格子状に直交させてなる平面視長方形のグレーチングと、底壁部の左右両側に側壁部を起立して、該底壁部と両側壁部とで上面開口の縦通溝が形成され、さらに両側壁部の上部に、前記グレーチングが該上面開口を塞いで載る平坦部が対向配設される側溝本体と、を備えるグレーチング付き側溝の排水構造にあって、
前記平坦部よりも下方の側壁部の縦通溝側に張出部を形成して、該張出部の上面部分に、縦通溝の排水流れ方向に向けて下降傾斜する斜路が設けられるか、又は側溝本体に載置される前記グレーチングの下部で、グレーチング盤の下面よりも垂直下方に延在する板片部から帯幅方向部分が縦通溝内へ突き出す一方、長手方向部分が縦通溝の排水流れ方向に向けて下降傾斜する帯状の傾斜板部が設けられて、
グレーチングの側板を横切ってグレーチング内に流れ込む水が、前記斜路上又は前記傾斜板部上を流れるようにしたことを特徴とするグレーチング付き側溝の排水構造。
【発明の詳細な説明】
【技術分野】
【０００１】
本発明は、道路脇等に設置される排水用のグレーチング付き側溝の排水構造に関する。
【背景技術】
【０００２】
近年、集中豪雨やゲリラ豪雨で予想を越える雨が降るようになり、その様子がニュース等で取り上げられて問題になっている。こうしたことから、排水性を良好にする側溝構造がいくつか提案されている（例えば特許文献１〜３）。
【先行技術文献】
【特許文献】
【０００３】
【特許文献１】特開２０１０−１３８９０号公報
【特許文献２】特開平６−１０１２６２号公報
【特許文献３】特開２００４−１２４６９０号公報
【０００４】
特許文献１は、側溝本体に被着されるグレーチング等の蓋材の口に異物の堆積物が詰まらないようして、排水性を良好に保つ蓋材付き側溝を提案する。特許文献２も、グレーチングにゴミが詰まって集水能力が低下するのを改善し、豪雨等にあっても、集水及び排水機能を良好に維持する側溝ブロックを提案する。
また、特許文献３は、道路の流水表面を流れる雨水の呑み込み機能を強化した集水用グレーチング及びこれを用いた排水構造を提案する。
【発明の開示】
【発明が解決しようとする課題】
【０００５】
しかるに、特許文献１〜３のいずれの発明も、側溝本体内に円滑に雨水を取り込む技術であった。グレーチング等の蓋材の口に異物の堆積物が詰まらないようしたり、道路の流水表面を流れる雨水の呑み込み機能を強化したりしても、側溝本体内で、雨水が縦通溝の排水流れ方向に円滑に流れる状態になっていないと、グレーチングへ雨水を流し込むこと自体が困難であった。ゲリラ豪雨等での雨水処理能力は、側溝本体内の流路を流れる雨水スピードが律速支配することもあった。テレビニュースでも、排水溝から水が溢れ出す様子が映し出されることがある。
【０００６】
一方、従来型側溝として、側溝本体８を数珠つなぎに接続する側溝にあって、排水を川下へ流すべく、例えば図１９のような自由勾配側溝と呼ばれる側溝本体８が用いられることがある。天板部８１と側板部８２とで側溝本体８を形成する。その側溝本体８の底面側に、縦通溝の排水流れ方向に向けて緩やかな傾斜をつけてコンクリート底面部８３を現場施工で形成し、雨水が同図矢印のごとく下流側へ流れるようにしている。そのため、底面部の現場施工に手間とコストを要した。また、道路環境上、側溝本体に傾斜をつけることが困難な場合は、側溝本体の各末端に深い桝を設けて、ポンプアップによる雨水等の排水処理がなされていた。
【０００７】
本発明は、上記問題を解決するもので、コンクリート底面部を現場施工したりポンプアップ操作を用いたりせずに、側溝に流れ込んだ雨水が下流側へ円滑に向かうようにし、また、豪雨時にも、縦通溝での雨水スピードを速め、側溝の排水処理能力を高めることのできるグレーチング付き側溝の排水構造を提供することを目的とする。
【課題を解決するための手段】
【０００８】
上記目的を達成すべく、請求項１に記載の発明の要旨は、主部材に連結材を格子状に直交させてなる平面視長方形のグレーチングと、底壁部の左右両側に側壁部を起立して、該底壁部と両側壁部とで上面開口の縦通溝が形成され、さらに両側壁部の上部に、前記グレーチングが該上面開口を塞いで載る平坦部が対向配設される側溝本体と、を備えるグレーチング付き側溝の排水構造にあって、前記平坦部よりも下方の側壁部の縦通溝側に張出部を形成して、該張出部の上面部分に、縦通溝の排水流れ方向に向けて下降傾斜する斜路が設けられるか、又は側溝本体に載置される前記グレーチングの下部で、グレーチング盤の下面よりも垂直下方に延在する板片部から帯幅方向部分が縦通溝内へ突き出す一方、長手方向部分が縦通溝の排水流れ方向に向けて下降傾斜する帯状の傾斜板部が設けられて、グレーチングの側板を横切ってグレーチング内に流れ込む水が、前記斜路上又は前記傾斜板部上を流れるようにしたことを特徴とするグレーチング付き側溝の排水構造にある。
【発明の効果】
【０００９】
本発明のグレーチング付き側溝の排水構造は、コンクリート底面部を傾斜させたりポンプアップ操作を用いたりしなくても、斜路又は傾斜板部が備わることで、側溝に流れ込んだ雨水を自律的に下流側へ向かわせ、また、豪雨時にも、グレーチングの側板を横切ってグレーチング内に流れ込む雨水が、斜路上又は傾斜板部上を流れることによって、側溝流路の流れ方向に進む雨水のスピードが加速するので、縦通溝での雨水スピードを速め、側溝の排水処理能力がアップして、豪雨での路面浸水等を防ぐことができるなど優れた効果を発揮する。
【図面の簡単な説明】
【００１０】
【図１】実施形態１のグレーチング付き側溝の排水構造に係る側溝本体の斜視図である。
【図２】図１の側溝本体にグレーチングを載置した側面図である。
【図３】図２の要部拡大斜視図である。
【図４】図３に代わる他態様の側溝本体の斜視図である。
【図５】図２の側溝本体を連ねた汎用側溝にグレーチングを載置した概略縦断面図である。
【図６】図１に代わる他態様の側溝本体の斜視図である。
【図７】図６の側溝本体にグレーチングを載置した側面図である。
【図８】図１〜図７に代えて、コンクリート製側壁部を隆起させて斜路を形成する他態様の側溝本体である。
【図９】実施形態２のグレーチング付き側溝の排水構造に係るグレーチングの下面側から見た斜視図である。
【図１０】側溝本体(又は側溝)に図９のグレーチングを載置した側面図である。
【図１１】図１０の側溝本体を連ねた側溝に図９のグレーチングを載置した概略縦断面図である。
【図１２】図１０の部分拡大図である。
【図１３】図１２に代わる他態様図である。
【図１４】図９〜図１２に代わる別態様のグレーチングの下面側から見た斜視図である。
【図１５】公知の側溝本体(又は側溝)に図１４のグレーチングを載置したグレーチング付き側溝の排水構造の側面図である。
【図１６】図１５の側溝本体を連ねた側溝に図１４のグレーチングを載置したグレーチング付き側溝の排水構造の概略縦断面図である。
【図１７】図９〜図１２や図１４〜図１６に代わる他態様のグレーチングの斜視図である。
【図１８】図１７のグレーチングを公知の側溝本体(又は側溝)に載置したグレーチング付き側溝の排水構造の側面図である。
【図１９】従来技術の説明斜視図である。
【発明を実施するための形態】
【００１１】
以下、本発明に係るグレーチング付き側溝の排水構造について詳述する。
（１）実施形態１
図１〜図８は本発明の側溝本体側に斜路を設けたグレーチング付き側溝の排水構造の一形態で、図１はその側溝本体の斜視図、図２は図１の側溝本体にグレーチングを載置した側面図、図３は図２の要部拡大斜視図、図４は図３に代わる他態様の側溝本体の斜視図、図５は図２の側溝本体を連ねた側溝にグレーチングを載置した概略縦断面図、図６は図１に代わる他態様の側溝本体の斜視図、図７は図６の側溝本体にグレーチングを載置した側面図、図８は図１〜図７に代えて、コンクリート製側壁部を隆起させて斜路Ｆを形成する他態様の側溝本体を示す。
図面を判り易くするため、当て板部３４の板厚を厚く描き、図５は要部のみを簡略図示する。
【００１２】
グレーチング付き側溝の排水構造は、グレーチング５と側溝本体１を具備する。
本実施形態のグレーチング５の方は公知品で、側溝本体１に斜路Ｆを形成する。グレーチング５は、主部材５０に連結材５１を格子状に直交させてなる平面視長方形の金属製グレーチングとする。全体形状が規格化された長方形盤状をなし、主部材５０と連結材５１と端板５８,５９と側板５２とを備える公知のグレーチング５である。多数の金属製帯板からなる主部材５０とこれに直交する連結材５１とで格子状に形成して、その両側を側板５２で塞ぐ(図３)。通称Ｉバーと呼ばれる断面Ｉ字状の帯板からなる主部材５０は、図３のように幅方向を上下にして平行に複数配設される。主部材５０の両端を端板５８,５９(図９参照)として、長方形盤のグレーチング５になっている。
ここでの連結材５１は通称クロスバーとも呼ばれ、金属製棒状材を捩ったツイスト棒からなる。連結材５１は、主部材５０をその帯幅方向を垂直起立させ且つ所定ピッチで複数配設した後、これらと直交するようにして所定間隔離して主部材５０の上面に載置される。その後、主部材５０と連結材５１とを電気圧接固定して格子状とし、両側横方向に側板５２を固着して図２,図５ごとくの長方形盤に組み立てられる。符号ＳＬは主部材５０と連結材５１とを格子状に配設することによってできるスリットを示す。後述する側溝本体１が複数接続されてなる側溝Ａの上面開口Ｋに被着されるグレーチング５にあって、路面ＧＬに降った雨は雨水Ｗとなって路面ＧＬをはい、グレーチング５付き側溝Ａへと向かう。そして、主に側板５２を横切り、スリットＳＬを通って側溝本体１の斜路Ｆ(詳細後述)を経由した後、流路たる縦通溝Ｒ内へ流れ落ちる。
【００１３】
側溝本体１は、側溝主部αと当て部材３４とを具備するユニット製品である（図１）。側溝主部αはコンクリート製で、底壁部２の左右両側から側壁部３が起立して、底壁部２と両側壁部３とで上面開口Ｋの縦通溝Ｒを形成する側溝本体１の主要部になる。両側壁部３の上部３２には、グレーチング５が上面開口Ｋを塞いで載る平坦部３３が対向配設される。両側壁部３の主要部３１から上面開口Ｋ側へ延びる両側壁部３に係る上部３２の内側に、グレーチング５を連接又は近接して、図５のごとくグレーチング５を複数載置できる平坦部３３が設けられる。
ここで、本発明でいう上方とは、側溝本体１が道路等の路面ＧＬに埋設される図２の状態下で、紙面上方をいい、下方とは紙面下方を指す。また、水平方向や左右方向とは図２の紙面左右横方向をいう。縦通溝Ｒの排水流れ方向ｕは図２でいえば紙面垂直手前方向をいい、側壁部３の他端面３９やグレーチング５の他端面５９が紙面手前に現れ、側壁部３の一端面３８やグレーチング５の一端面５８は、側壁部３やグレーチング５に係る紙面奥方の図２に現れない端面になる。
【００１４】
底壁部２と、その両脇で起立する側壁部３とで横断面略Ｕ字状の縦通溝Ｒを形成し、底壁部２下面に対し、両側壁部３を垂直起立させて側面視外形が略凵字状の上面開口Ｋのコンクリート製側溝主部αとする。そして、側壁部３の上部３２を内側（縦通溝Ｒ側）に突出し、突出上面を平坦部３３とする。両側溝本体１の上端面３２ａよりも一段下がった位置に、側溝主部αがつくる平坦部３３が設けられる。図２でいえば、側壁部３の開口端たる上端面３２ａからその内面が略垂直に降下し、グレーチング５の盤厚みｈの相当分まで下がった地点で、水平内側方向に突出して平坦部３３が形成される。
【００１５】
当て部材３４は、側溝主部αの上部に被着一体化される金属製板状品である。当て部材３４は、予め図１のような形状に成形加工される。側溝本体１の製造に際し、該当て部材３４をインサートして、図１のごとく側溝主部αの上部表面を、一体成形で覆う当て部材３４付きのコンクリート製側溝本体１を完成させる。符号３７は当て部材３４に固着したアンカーで、当て部材３４を側溝主部αに一体強化する。両側壁部３の上部３２表面を当て部材３４が覆って、グレーチング５が上面開口Ｋを塞いで載る平坦部３３が対向配設される側溝本体１になる。そして、平坦部３３よりも下方の側壁部３で、その縦通溝Ｒ側に当て部材３４がつくる金属製張出部３４ｅを形成して、該張出部３４ｅが側溝部３の内壁面から離れ、縦通溝Ｒ内へ図２のごとく水平突出する。該張出部３４ｅの上面部分３４ｅ１に、縦通溝Ｒの排水流れ方向ｕに向けて下降傾斜する斜路Ｆが設けられる。
【００１６】
本実施形態の当て部材３４は、側溝主部αの一端面３８から他端面３９までの長さを有する図１ごとくの長尺曲げ加工品である。
当て部材３４は一の側溝主部αに一対配設され、両当て部材３４は左右対称品である（図２）。当て部材３４は平板のプレス成形品で、上板部３４ａと立板部３４ｂと水平板部３４ｃと垂下部３４ｄと張出部３４ｅと補強部３４ｆとを備える。上板部３４ａと立板部３４ｂと水平板部３４ｃと補強部３４ｆは、当て部材３４の長手方向に向けて等断面形状になっている（図１,図２）。側溝本体１の成形に先立ち、当て部材３４をインサートして側溝本体１を成形すると、当て部材３４の上板部３４ａが両側壁部３に係る上端面３２ａの全域を覆う。側壁部３の上端面３２ａから側壁部３の内面がグレーチング盤５ａの厚みｈ分だけ垂直降下するが、その垂直面を、上板部３４ａから縦通溝Ｒ側が屈曲、延設された立板部３４ｂが覆う。さらに立板部３４ｂの下縁から屈曲して縦通溝Ｒ側へ水平延設する水平板部３４ｃが、側壁部３の平坦部３３を覆って、上面開口Ｋをグレーチング５が塞いで直かに接して載る真の平坦部になる。また、前記側壁部３に係る上端面３２ａの外縁から側壁部外面が垂直下降するが、該側壁部外面の上端垂直部分を、上板部３４ａの外縁から屈曲延設された補強部３４ｆが覆う。
一方、上板部３４ａ,立板部３４ｂ,水平板部３４ｃが当て部材３４の長手方向等断面形状であるのに対し、垂下部３４ｄは図１のごとく側壁部３の一端面３８から他端面３９に向けて徐々に帯幅が広くなる細長の帯板部になっている。側壁部３の平坦部３３の内縁から側壁部内面が底壁部２へ向けて垂直降下するが、その垂直面の上方部を、水平板部３４ｃから縦通溝Ｒ側が屈曲延設された垂下部３４ｄが覆う。そして、垂下部３４ｄの下縁から屈曲して縦通溝Ｒ側へ水平に張り出す張出部３４ｅが設けられる。該張出部３４ｅは、一定幅の長尺板部で、側壁部３の一端面３８から他端面３９に進むにしたがい徐々に帯幅が広くなる垂下部３４ｄの下縁から、屈曲して縦通溝Ｒ側へ水平に突き出す。この張出部３４ｅの突き出しで、該張出部３４ｅの上面部分３４ｅ１に、側壁部３の一端面３８から他端面３９へ向けて傾斜勾配がつくすなわち斜路Ｆが形成される(図１,図２)。張出部３４ｅの上面部分３４ｅ１に、縦通溝Ｒの排水流れ方向ｕに向けて下降傾斜する斜路Ｆが設けられる。尚、張出部３４ｅは垂下部３４ｄから縦通溝Ｒ側へ水平に突き出したが、縦通溝Ｒの中央に向けて、後述する図１３のごとく角度θ(１５°>θ>０°)で下降傾斜させてもよい。
【００１７】
一方、当て部材３４は、さらに図４のような他態様の返し部３４ｇを設けることもできる。図１〜図３に係る張出部３４ｅの縦通溝Ｒ側の内縁から図４のごとく上方へ屈曲して上方延設する所定高さの細長板状返し部３４ｇを形成する。側板５２を横切ってグレーチング５内に流れ込む水Ｗに土砂が混ざらない場合、斜路Ｆを使ってその水Ｗに速度エネルギを有効に与えるためである。
尚、図１〜図４の当て部材３４に係る各上板部３４ａ,立板部３４ｂ,水平板部３４ｃ,垂下部３４ｄ,張出部３４ｅ,補強部３４ｆ,返し部３４ｇは、長手方向長さが図示のごとく側溝主部αの一端面３８から他端面３９までの長さを有する板部とする。
【００１８】
かくのごとく、側溝本体１は側溝主部αと当て部材３４とを有して、当て部材３４に係る上板部３４ａ,立板部３４ｂ,水平板部３４ｃ,垂下部３４ｄが、側溝主部αに係る側壁部３の上部に当接一体化する。張出部３４ｅは、側壁部３の内面に当接する垂下部３４ｄの下縁から縦通溝Ｒ側へ突出し、一定幅の板幅で且つ側壁部３の一端面３８から他端面３９に向けて下降傾斜する板面をつくって、その板面を斜路Ｆとなす。ここでの張出部３４ｅの板幅は、平坦部３３が縦通溝Ｒ方向へ突き出す幅よりも大きくする。
施工現場では、本側溝本体１が複数用意され、一の側溝本体１に係る一端面３８を他の側溝本体１に係る他端面３９と突き合わせ、図５のごとく数珠つなぎに一列に接続して側溝Ａとする。各側溝本体１(側壁部３)の他端面３９側は下流側に向けられる。したがって、側溝Ａを形成する各側溝本体１には、縦通溝Ｒの排水流れ方向ｕに向けて下降傾斜する斜路Ｆが設けられる。各側溝本体１の平坦部３３に汎用グレーチング５を載せて上面開口Ｋを塞ぐと、側板５２を横切ってグレーチング５内に流れ込む雨水等の水Ｗが、斜路Ｆ上を流れる本グレーチング付き側溝の排水構造となる。
【００１９】
図６,図７は、別態様のグレーチング付き側溝の排水構造で、当て部材３４の張出部３４ｅについて、図１〜図５の側溝本体１に係る当て部材３４の張出部３４ｅよりも、その長手方向長さを短くする。上板部３４ａ,立板部３４ｂ,水平板部３４ｃ,垂下部３４ｄに比べ、張出部３４ｅは下点Ｆ２側を図６,図７のごとく切欠き、短くする。当て部材３４に係る上板部３４ａ,立板部３４ｂ,水平板部３４ｃ,垂下部３４ｄが、側溝主部αに係る側壁部３の上部に当接一体化する。張出部３４ｅが側壁部３の内面に当接する垂下部３４ｄの下縁から縦通溝Ｒ側へ突出し、その突出し幅は平坦部３３が縦通溝Ｒ方向の突出す幅よりも大きい。張出部３４ｅは側壁部３の一端面３８寄りから他端面３９寄りに向けて下降傾斜する板面をつくって、その板上面を斜路Ｆとなす。他の構成は図１〜図５のグレーチング付き側溝の排水構造と同様で、説明を省く。
【００２０】
また、図１〜図７は当て部材３４に斜路Ｆを形成したが、図８のように側溝主部αに斜路Ｆを直接形成した他態様のグレーチング付き側溝の排水構造とすることもできる。図８の側溝本体１は当て部材３４をなしにし、側溝主部αがそのまま側溝本体１になる。
図８の側溝本体１には、平坦部３３よりも下方の両側壁部３で、該側壁部３の縦通溝Ｒ側を張出してコンクリート製張出部３５が形成される。そして、両側壁部３に張出部３５が対向配設され、各張出部３５の上面部分３５１に、縦通溝Ｒの排水流れ方向ｕに向けて下降傾斜する斜路Ｆが設けられる。張出部３５の上面部分３５１は、平坦部３３が縦通溝Ｒ方向の突出す幅とほぼ同程度の幅を有して水平に張り出し、且つ側壁部３の一端面３８寄りから他端面３９に向けて下降傾斜する斜路Ｆとなす。張出部３５は側壁部３の一端面３８側の箇所が切り欠かれる。さもないと、一の側溝本体１に係る一端面３８を他の側溝本体１に係る他端面３９と突き合わせて、複数の側溝本体１を一列に接続して側溝Ａにした際、支障をきたすからである。グレーチング５の側板５２を横切ってグレーチング５内に流れ込む雨水等の水Ｗが、斜路Ｆ上を流れて、縦通溝Ｒの排水流れ方向ｕに進む水Ｗのスピードが加速するが、隣接する側溝本体１の一端面３８に該水Ｗが衝突してそのスピードを落とすからである。図８の側溝本体１は、側壁部３の一端面３８寄りから他端面３９に向けて下降傾斜する横長状の斜路Ｆとなすが、これに代えて、上面部分３５１が側壁部３の一端面３８又は一端面３８寄りから他端面３９寄りに向けて下降傾斜する斜路Ｆ用の張出部３５を形成することもできる。同様の本発明効果が得られるからである。
【００２１】
（２）実施形態２
図９〜図１８はグレーチング５側に傾斜板部５５を設けたグレーチング付き側溝の排水構造で、図９はそのグレーチング５の下面側から見た斜視図、図１０は側溝本体１(又は側溝Ａ)に図９のグレーチング５を載置した側面図、図１１は図１０の側溝本体１を連ねた側溝Ａに図９のグレーチング５を載置した概略縦断面図、図１２は図１０の部分拡大図、図１３は図１２に代わる他態様図、図１４は図９〜図１２に代わる別態様のグレーチング５の下面側から見た斜視図、図１５は側溝本体１(又は側溝Ａ)に図１４のグレーチング５を載置した側面図、図１６は図１５の側溝本体１を連ねた側溝Ａに図１４のグレーチング５を載置した概略縦断面図、図１７は図９〜図１２や図１４〜図１６に代わる他様のグレーチング５の斜視図、図１８は図１７のグレーチング５を側溝本体１(又は側溝Ａ)に載置した側面図を示す。図面を判り易くするため、図１１,図１６は要部のみを簡略図示し、また、図１１は図９のグレーチング５が一端面５８から他端面５９まで傾斜板部５５を配設するのに対し、グレーチングの一端面５８寄りから他端面５９寄りまで傾斜板部５５を配設するにとどめる。
【００２２】
実施形態１は側溝本体１に斜路Ｆが設けられたが、本実施形態のグレーチング付き側溝の排水構造は、側溝本体１を公知品にして、グレーチング５の方に前記斜路Ｆに代わる傾斜板部５５が設けられる。
【００２３】
本実施形態の側溝Ａを構成する側溝本体１は、図１０のような側面視略凹字状の公知品である。底壁部２と両側壁部３とで上面開口Ｋの縦通溝Ｒが形成され、さらに両側壁部３の上部３２に、グレーチング５が該上面開口Ｋを塞いで載る平坦部３３を対向配設する。ここでは側壁部３の上端面３２ａが平坦部３３になる。
【００２４】
グレーチング５は、主部材５０に連結材５１を格子状に直交させてなる平面視長方形で、主部材５０と連結材５１と端板５８,５９と側板５２とを備えた汎用グレーチングにもなるグレーチング盤５ａとし、さらに板片部５３,傾斜板部５５を付加するものである。グレーチング５の下部で、グレーチング盤５ａの下面よりも垂直下方に延在する板片部５３から、帯幅方向部分５５ａが縦通溝Ｒ内へ水平に突き出すと共に、長手方向部分５５ｂが縦通溝Ｒの排水流れ方向ｕに向けて下降傾斜する帯状の傾斜板部５５が設けられる。
【００２５】
ここでのグレーチング５は、アングル鍔付きタイプと称される市販グレーチングに、板片部５３,傾斜板部５５を追加工した金属製品である。帯板からなる主部材５０が幅方向を上下にして所定ピッチで平行に複数配設され、且つこれらと直交するようにして、連結材５１が所定間隔離して主部材５０上面に載置される。その後、主部材５０と連結材５１とを電気圧接固定して格子状とし、両側横方向に側板５２を固着して四角盤状のグレーチング盤５ａに組み立てられる。両側板５２の上縁部分から、平板部５４をそれぞれ側面視Ｌ字状に外方へ屈曲、延設してアングル鍔とする。該平板部５４が図１０の側溝本体１の平坦部３３に載る。主部材５０の両端を端板５８,５９とする平面視長方形のグレーチング本体たるグレーチング盤５ａが出来る。
【００２６】
前記両側板５２は、図９,図１０のごとく水平方向に対し垂直下方向の長さを通常のアングル鍔付きグレーチングよりも長くし、該側板５２の下部がグレーチング盤５ａの下面よりも垂直下方に延在する板片部５３となる。一方、グレーチング盤５ａの長手方向長さに匹敵する長さの傾斜板部５５用の細長帯板を用意する。その長手方向部分５５ｂを縦通溝Ｒの排水流れ方向ｕに向けて下降傾斜させ(図１１)、該板片部５３の縦通溝Ｒ側に細長帯板の一側縁を固着して、図９ごとくの帯状傾斜板部５５が設けられる。該傾斜板部５５はその帯幅方向部分５５ａを縦通溝Ｒ内(縦通溝Ｒの溝中心軸側)へ水平突出する。
【００２７】
図９,図１０で、傾斜板部５５が、グレーチング５の一端面５８から他端面５９まで縦通溝Ｒの排水流れ方向ｕに向けて下降傾斜させて配設される。これに代え、図１１のごとく傾斜板部５５がグレーチング５の一端面５８寄りから他端面５９寄りまでに限定して、傾斜板部５５を配設する構成でもよい。少し短くしても、同様の本発明効果が得られるからである。
また、図１３は図１０〜図１２に代わる他態様のグレーチング５である。図示のごとく、板片部５３から縦通溝Ｒ内へ突き出す傾斜板部５５の帯幅方向部分５５ａが縦通溝Ｒの中央(縦通溝Ｒの溝中心軸側)に向けて角度θ(１５°>θ>０°)で下降傾斜すると、より好ましくなる。豪雨等でグレーチング５内に流れ込む土砂が傾斜板部５５に堆積するのを防止できるからである。
【００２８】
前記側溝本体１が複数用意され、一の側溝本体１に係る一端面３８を他の側溝本体１に係る他端面３９と突き合わせるようにして一列に接続すると、側溝Ａが形成される(図１１)。各グレーチング５は一端面５８側を上流側に配する。そして、各側溝本体１の平坦部３３に前記グレーチング５を載せて上面開口Ｋを塞ぐと、グレーチング５に縦通溝Ｒの排水流れ方向ｕに向けて下降傾斜する帯状傾斜板部５５が設けられることで、側板５２を横切ってグレーチング５内に流れ込む雨水等の水Ｗが傾斜板部５５上を流れる本グレーチング付き側溝の排水構造となる。
符号５５１は傾斜板部５５に流れ込む水を、最も高い地点で受け止める傾斜板部の上点、符号５５２は傾斜板部５５の最も低い下点、符号６は傾斜板部５５を板片部５３に固着する溶接部を示す。図１０〜図１３における矢印は雨水等の水Ｗの流れを示す。他の構成は実施形態１と同様で、その説明を省く。実施形態１の符号と同一符号は同一又は相当部分を示す。
【００２９】
図１４〜図１６は図９〜図１２に代わる別態様のグレーチング５の下面側から見た斜視図を示す。図１４のグレーチング５は一般型落し込みタイプのグレーチング５に適用される金属製品で、該グレーチング５は図１５ごとく汎用コンクリート製側溝本体１の平坦部３３、又は図１,図２の当て部材３４に係る垂下部３４ｄ及び張出部３４ｅをなしにした汎用側溝本体１の平坦部３３(詳しくは水平板部３４ｃ)に載置される。
本グレーチング５も、帯板からなる主部材５０が幅方向を上下にして平行に所定ピッチで複数配設され、且つこれらと直交するようにして、連結材５１が所定間隔離して主部材５０上面に載置される。その後、主部材５０と連結材５１とを電気圧接固定して格子状とし、両側横方向に側板５２を固着してグレーチング盤５ａに組み立てる。主部材５０の両端を端板５８,５９とする平面視長方形のグレーチング盤５ａになる。そして、側面視Ｌ形のアングル部材が一対用意される。一対のアングル部材に係る底板部５５の外縁を図１４のごとく両側板５２の下縁に沿わせて、グレーチング盤５ａの下面に固着する。このとき、側面視Ｌ形のアングル部材の起立部を、縦通溝Ｒ側に配して且つグレーチング盤５ａの下方に向けて図１５のごとく起立させる。該起立部がグレーチング盤５ａの下面よりも垂直下方に延在する板片部５３になる。さらに、グレーチング盤５ａの長手方向長さに匹敵する長さの細長帯板を用意して、傾斜板部５５が形成される。側溝本体１に載置されるグレーチング５の下部で、長手方向部分５５ｂが縦通溝Ｒの排水流れ方向ｕに向けて下降傾斜するよう、該板片部５３の縦通溝Ｒ側に細長帯板の一側縁を固着してなる傾斜板部５５が設けられる。図１４で、傾斜板部５５はグレーチング５の一端面５８から他端面５９に向けて下降傾斜する。傾斜板部５５はその帯幅方向部分５５ａを縦通溝Ｒ内へ水平突出する。
図１４の側溝本体１が複数用意され、一の側溝本体１を他の側溝本体１と突き合わせるようにして、図１１と同様、一列に接続されると、図１６ごとくの側溝Ａが完成する。各グレーチング５は一端面５８側を上流側に配する。そして、各側溝本体１の平坦部３３に前記グレーチング５を載せて上面開口Ｋを塞ぐと、グレーチング５に、縦通溝Ｒの排水流れ方向ｕに向けて下降傾斜する帯状の傾斜板部５５を設けたことで、側板５２を横切ってグレーチング５内に流れ込む雨水等の水Ｗが傾斜板部５５上を流れる本グレーチング付き側溝の排水構造となる。他の構成は図９〜図１２のグレーチング付き側溝の排水構造と同様で、その説明を省く。
【００３０】
また、図１７,図１８は図９〜図１２や図１４〜図１６に代わる他態様のグレーチング５の斜視図を示す。図１７のグレーチング５は嵩上げタイプのグレーチング５に適用した金属製品で、本グレーチング５は、図１８のごとく嵩上げ部材５６がある分、図１５に比べて平坦部３３が一段低い側溝本体１に使用される。
本グレーチング５も、帯板からなる主部材５０が幅方向を上下にして平行に所定ピッチで複数配設され、且つこれらと直交するようにして、連結材５１が所定間隔離して主部材５０の上面に載置される。主部材５０と連結材５１とを電気圧接固定して格子状とし、両側横方向に側板５２を固着してグレーチング盤５ａに組み立てる。主部材５０の両端を端板５８,５９とする平面視長方形のグレーチング盤５ａになる。そして、四角筒形した嵩上げ部材５６を一対用意する。一対の嵩上げ部材５６の外縁を図１７のごとく両側板５２に沿わせて、グレーチング盤５ａの下面に固着する。嵩上げ部材５６に係るグレーチング中央側筒壁の板部が、グレーチング盤５ａの下面よりも垂直下方に延在する板片部５３になる。別途、グレーチング盤５ａの長手方向長さに匹敵する長さの細長帯板が用意され、これを板片部５３に固着して傾斜板部５５を形成する。側溝本体１に載置されるグレーチング５の下部で、長手方向部分５５ｂが縦通溝Ｒの排水流れ方向ｕに向けて下降傾斜するよう、両板片部５３の縦通溝Ｒ側に細長帯板の一側縁を固着してなる帯状の傾斜板部５５が一対設けられる。図１７で、傾斜板部５５はグレーチング５の一端面５８から他端面５９に向けて下降傾斜する。傾斜板部５５はその帯幅方向部分５５ａを縦通溝Ｒ内へ水平突出する。
【００３１】
汎用側溝本体１が複数用意され、一の側溝本体１を他の側溝本体１に突き合わせるようにして、図１１と同じように一列に接続されると、側溝Ａが完成する。各グレーチング５は一端面５８側を上流側に配する。各側溝本体１の平坦部３３にグレーチング５を載せて上面開口Ｋを塞ぐと、該グレーチング５に縦通溝Ｒの排水流れ方向ｕに向けて下降傾斜する帯状の傾斜板部５５を設けたことで、側板５２を横切ってグレーチング５内に流れ込む雨水等の水Ｗが、傾斜板部５５上を流れる本グレーチング付き側溝の排水構造となる。他の構成は図９〜図１２のグレーチング付き側溝の排水構造と同様で、その説明を省く。
【００３２】
（３）効果
このように構成したグレーチング付き側溝の排水構造は、豪雨等で、路面ＧＬをはい、側板５２を横切ってグレーチング５内に流れ込む水が、斜路Ｆ上又は傾斜板部５５上の坂を滑るようにして流れるので、縦通溝Ｒの排水流れ方向ｕに進むその水Ｗのスピードが加速する。斜路Ｆ上又は傾斜板部５５上を雨水等の水Ｗが流れると、その傾斜勾配で水Ｗに加速度がつき、その加速度をつけた状態で、水Ｗが斜路Ｆの下点Ｆ２(又は傾斜板部の下点５５２）から縦通溝Ｒの底板部上面２１へと流れ落ちる。縦通溝Ｒを流れる単位時間あたりの水量が増加するので、側溝Ａ(側溝本体１)に導かれた排水Ｗは迅速処理される。したがって、側溝Ａ内の流路(縦通溝Ｒ)を流れる雨水スピードが従来のように律速支配して、側溝Ａから水Ｗが溢れ出すような事態を回避できる。特に水難事故等につながり易い豪雨時の路面ＧＬ浸水を、比較的簡便な構造で解消でき、極めて有益となる。
【００３３】
また、日常の排水処理において、自由勾配側溝８を採用し、図１９のごとく縦通溝Ｒの排水流れ方向ｕに向けて緩やかな傾斜をつけてコンクリート底面部８３を現場施工し、雨水Ｗが下流側へ流れるようにしたり、ポンプアップによる外力に頼ったりしなくても済む。側溝本体１をそのまま水平に配設した後、平坦部３３にグレーチング５を単に載置する実施形態１又は２のグレーチング付き側溝の排水構造にするだけで足りる。実施形態１の斜路Ｆ、又は実施形態２の傾斜板部５５が、自由勾配側溝本体８に現場施工で傾斜をつけたコンクリート底面部８３や、ポンプアップの外力に代わる役割を果たす。さらにいえば、斜路Ｆや傾斜板部５５は自由勾配側溝８の傾斜底面部８３よりもその勾配を大きくすることが容易であり、より円滑な排水処理を可能とする。ポンプアップに頼ることもないので、電力等の外部エネルギも必要としない。電力が届かない山間部や僻地でも使用でき、頗る便利になる。側板５２を横切ってグレーチング５内に流れ込む水Ｗが保有する位置エネルギ（落差エネルギ）が、斜路Ｆ上又は傾斜板部５５上を流れる過程で運動エネルギに転換して、縦通溝Ｒの排水流れ方向ｕに進むその水Ｗのスピードが加速するので、ポンプアップや自由勾配側溝８の底面部８３に頼らなくても、十分対応できる。従来のポンプアップや自由勾配側溝等に代わる画期的なグレーチング付き側溝の排水構造となる。
【００３４】
さらに、縦通溝Ｒの排水流れ方向ｕに向けて下降傾斜する傾斜板部５５が、グレーチング５の一端面５８又は一端面５８寄りから他端面５９又は他端面５９寄りまで配設されると、グレーチング５の長手方向長さ全体を有効活用できる。グレーチング５の一端面５８を隣接するグレーチング５の他端面５９に接続させて、各グレーチング５に係る傾斜板部５５の長手方向部分５５ｂが、縦通溝Ｒの排水流れ方向ｕに向けて下降傾斜するので、側板５２を横切ってグレーチング５内に流れ込む水Ｗが傾斜板部５５上を流れた後、その隣のグレーチング５の傾斜板部５５より下方の地点５５２からスピードを上げて流れ落ちるので、本グレーチング５を接続しても何ら問題ない(図１１,図１６)。極めて理にかなったグレーチング付き側溝の排水構造になっている。
【００３５】
側溝本体１,側溝Ａが敷設された状態にあっても、実施形態２のグレーチング５を使用すれば、簡単に本グレーチング付き側溝の排水構造となり、作業負担やコスト負担が少ない。既に施工され、側溝Ａに被せられた従来型グレーチングを本グレーチング５に置き換えるだけで、上述効果を発揮でき、適用範囲が広い。
【００３６】
また、側溝本体１がコンクリート製側溝主部αと金属製当て部材３４とを具備し、当て部材３４が側溝主部αの上部に被着一体化すると共に縦通溝Ｒ側に張出部３４ｅを形成して、その上面部分に斜路Ｆが設けられるようにすれば、グレーチングだけでなく、側溝主部αを既存形態に保って、簡単に前記効果を発揮する自立排水機能型の側溝本体を造ることができる。
【００３７】
加えて、図１３のように板片部５３から縦通溝Ｒ内へ突き出す傾斜板部５５の帯幅方向部分５５ａが、縦通溝Ｒの中央に向けて下降傾斜する構成であると、グレーチング５の側板５２を横切ってグレーチング５内に流れ込む水Ｗに土砂等が混ざっても、帯幅方向部分５５ａが縦通溝Ｒの中央へ向けて下降傾斜するので堆積せず、洗い流してくれる。傾斜板部５５に自浄作用をもたせることができる。かくのごとく、上述した数々の優れた効果を発揮し、実用的且つ有意義なグレーチング付き側溝の排水構造になっている。
【００３８】
尚、本発明においては前記実施形態に示すものに限られず、目的,用途に応じて本発明の範囲で種々変更できる。側溝本体１,底壁部２,側壁部３,当て部材３４,張出部３４ｅ,グレーチング５,主部材５０,連結材５１,傾斜板部５５等の形状,大きさ,個数,材質等は用途に合わせて適宜選択できる。例えば、実施形態１,２では、上面開口Ｋの全ての範囲で、文字通り上面開口Ｋを有する側溝本体１が用いられたが、コンクリート製上面部を一部に有して、中央部にのみ上面開口Ｋが設けられる図１９の側溝本体１の場合にも適用できる。斯かる場合も、底壁部２の左右両側に側壁部３を起立して、該底壁部２と両側壁部３とで上面開口Ｋの縦通溝Ｒが形成され、さらに両側壁部３の上部に、グレーチング５が該上面開口Ｋを塞いで載る平坦部３３が対向配設される側溝本体１とみなす。本グレーチング付き側溝の排水構造にできるからである。
【符号の説明】
【００３９】
１            側溝本体
２            底壁部
３            側壁部
３２          上部
３３          平坦部
３４          当て部材
３４ｅ        張出部
３４ｅ１      上面部分
３５          張出部
３５１        平坦部
５            グレーチング
５ａ１        下面
５０          主部材
５１          連結材
５３          板片部
５５          傾斜板部
５５ａ        帯幅方向部分
５５ｂ        長手方向部分
５８          一端面（端板）
５９          他端面（端板）
Ｆ            斜路
Ｋ            上面開口
Ｒ            縦通溝
ｕ            排水の流れ方向
Ｗ            水（雨水）
α            側溝主部
【図１】
0005460470.tif 000002
【図２】
0005460470.tif 000003
【図３】
0005460470.tif 000004
【図４】
0005460470.tif 000005
【図５】
0005460470.tif 000006
【図６】
0005460470.tif 000007
【図７】
0005460470.tif 000008
【図８】
0005460470.tif 000009
【図９】
0005460470.tif 000010
【図１０】
0005460470.tif 000011
【図１１】
0005460470.tif 000012
【図１２】
0005460470.tif 000013
【図１３】
0005460470.tif 000014
【図１４】
0005460470.tif 000015
【図１５】
0005460470.tif 000016
【図１６】
0005460470.tif 000017
【図１７】
0005460470.tif 000018
【図１８】
0005460470.tif 000019
【図１９】
0005460470.tif 000020